(57)【要約】      （修正有）【課題】ストライクモードの、メロディ、ゴングの選択を実現するストライキング機構を提供する。【解決手段】時計のためのストライキング機構１００は：ムーブメントによって駆動されるアワースネイル１９０と、戻り止めラチェット及びリピーティングラックピニオン２４を含むストライクホイールセット２と、スネイルを読み取り、ピニオン２４を駆動するための枢動アワーラック２０と、戻り止めラチェットを駆動するために各パッシングストライクで作動されるクリック８５とを含み、ユーザによる選択のためのモードセレクタ機構９が、外部プロファイル面を有するカム９０の角度位置を定義し、サイレントモードにおいて、最大半径が、サイレンシングレバーのくちばし部を押し戻し、すべてのパッシングストライク機能を無効にするために、その主アームがクリックをラチェットから離れさせる位置にそれを向ける。【選択図】図１
2019028069.tif 000002
【特許請求の範囲】
【請求項１】
時計（１０００）または計時器（２０００）のためのストライキング機構（１００）において、
ムーブメント（２００）であって、前記ストライキング機構（１００）が、少なくとも２つの異なるパッシングストライクモードで、少なくとも２つの異なるゴングの組の上で作動可能であり、前記ストライキング機構（１００）が、メロディまたはゴングの組を選択するための機構と組み合わされるモードセレクタ機構（９）を含み、前記モードセレクタ機構（９）が、どのストライクモードを使用するかユーザが選択できるユーザアクセス可能モードセレクタ（９６）を含み、メロディまたはゴングの組を選択するための少なくとも１つの手段が、パッシングストライクのために前記ムーブメント（２００）によって制御される、及び／あるいは、メロディもしくはゴングの組の前記選択のために、パッシングストライク機能を実行するために、または、前記ストライキング機構（１００）がミニッツリピータ機構を含むときは前記ミニッツリピータ機能のためにユーザにアクセス可能であり、前記ストライキング機構（１００）が、前記モードセレクタ（９６）とは異なる、メロディまたはゴングの組を選択するための少なくとも１つの前記手段（１０３；１０４）を含む、ムーブメント（２００）を含み、
前記ストライキング機構（１００）が、ストライクハンマを作動させるための異なるトリップ（１０７）を制御するように配置されるメロディセレクタ（１０６）と協働するように両方配置される少なくとも第１のメロディレバー（１０３）及び第２のメロディレバー（１０４）と協働するように配置されるメロディセレクタカム（１０１）を含み、前記第１のメロディレバー（１０３）及び前記第２のメロディレバー（１０４）がそれぞれ、前記メロディセレクタカム（１０１）の周辺（１０１１）上を移動するように配置される中間フィーラくちばし部（１０３０；１０４０）を含み、前記メロディセレクタカム（１０１）が、メロディ選択フィーラアーム（１０５）のフォーク（１０５０）を駆動するピン（１０１０）を含み、前記メロディ選択フィーラアーム（１０５）の第１の指（１０５１）が、モードによるメロディ選択カム（１０２）の周辺（１０２１）に追従し、その角度位置が、前記モードセレクタ（９６）によって直接または間接的に制御され、前記メロディ選択フィーラアーム（１０５）の第２のフィンガ（１０５２）が、プティットソヌリレバー（１０８）の移動を制限するように配置される
ことを特徴とする、
時計（１０００）または計時器（２０００）のためのストライキング機構（１００）。
【請求項２】
前記モードによるメロディ選択カム（１０２）が、前記メロディセレクタカム（１０１）と同一平面上にある
ことを特徴とする、
請求項１に記載のストライキング機構（１００）。
【請求項３】
前記メロディ選択フィーラアーム（１０５）が、前記ストライキング機構（１００）に含まれるプティットソヌリレバー（１０８）の移動を制限するように配置される第２のフィンガ（１０５２）を含む
ことを特徴とする、
請求項１に記載のストライキング機構（１００）。
【請求項４】
前記モードセレクタ（９６）が、前記モードによるメロディ選択カム（１０２）と一体的に枢動する切欠き区域（１０２０）の角度位置を制御するように配置され、前記切欠き区域（１０２０）が、ジャンパ及び／または保持ばねによって所定の位置に保持される
ことを特徴とする、
請求項１に記載のストライキング機構（１００）。
【請求項５】
前記モードセレクタ機構（９）が、前記ユーザにアクセス可能であり、前記モードセレクタ（９６）を形成し、ストライキング機能及び／またはゴングの組の前記選択も制御するように配置される単一の作動部材を含む
ことを特徴とする、
請求項１に記載のストライキング機構（１００）。
【請求項６】
前記ストライキング機構（１００）が、ストライクハンマを作動させるための異なるトリップ（１０７）を制御するように配置されるメロディセレクタ（１０６）と協働するように両方配置される少なくとも第１のメロディレバー（１０３）及び第２のメロディレバー（１０４）を含み、
前記第１のメロディレバー（１０３）及び前記第２のメロディレバー（１０４）がそれぞれ、前記第１のメロディを制御する第１のカム（１１４）及び前記第２のメロディを制御する第２のカム（１１５）それぞれの周辺上を移動する中間フィーラくちばし部（１０３０；１０４０）を含む
ことを特徴とする、
請求項５に記載のストライキング機構（１００）。
【請求項７】
モード及びメロディ選択の制御が、一方が他方の上に積み重ねられたいくつかのカムを含む制御ホイールセット（１１０）を介して実現され、その第１のカム（１１１、９０）が、保持ばねによるジャンパ（１１６、９６）によるそのある角をなす位置決め及び保持のために、ならびに、その周辺輪郭（１１３）を介して、プティットソヌリ、グランドソヌリ、及びサイレントモードを制御するために、切欠き（１１２、９３）を含み、前記ストライキング機構（１００）がミニッツリピータ機構を含むとき、ミニッツリピータ機能とパッシングストライク機能との間の任意の干渉を防止するように配置される、パッシングストライクアイソレータ（１０９）に含まれるくちばし部（１０９０）が続く
ことを特徴とする、
請求項５に記載のストライキング機構（１００）。
【請求項８】
前記モードセレクタ機構（９）が、少なくとも第１のカム（９０、１１１）または切欠き区域（１０２０）を含み、それらが、前記ストライキング機構の示されたモードと同じだけ多くの特定の位置を有することができる、または、前記モードのいくつかのみに特有の位置を有する
ことを特徴とする、
請求項１に記載のストライキング機構（１００）。
【請求項９】
前記第１のカム（９０、１１１）または前記切欠き区域（１０２０）が、それぞれが前記選択可能なモードの１つに対応する切欠き部（９３；９４；９５）を含む
ことを特徴とする、
請求項８に記載のストライキング機構（１００）。
【請求項１０】
前記切欠き部が様々なサイズの切欠きであり、作動の２つの方向のうちの１つに力を増加させることを必要とする
ことを特徴とする、
請求項９に記載のストライキング機構（１００）。
【請求項１１】
中心のまたは中心に近い１つの特定の切欠きが、ユーザが１つのストライクモードから別のモードに意図せずに変えてしまうことを防止することによって安全性を保証するように、端の切欠きより大きい
ことを特徴とする、
請求項１０に記載のストライキング機構（１００）。
【請求項１２】
前記モードセレクタ機構（９）が、それぞれのメロディの組及び／またはそれぞれのゴングの組の間で差異化するように配置される少なくとも１つのメロディカム（１０１、１１４、１１５）を含む
ことを特徴とする、
請求項１に記載のストライキング機構（１００）。
【請求項１３】
前記モードセレクタ機構（９）が、各ストライクモードに割り振られるメロディ及び／またはゴングの間で差異化するための複数の切欠きを含む少なくとも１つの前記カム（９０、１１１）を含む
ことを特徴とする、
請求項１に記載のストライキング機構（１００）。
【請求項１４】
前記ストライキング機構（１００）が、サイレントモードを含む少なくとも２つの異なるストライクモードで作動可能である
ことを特徴とする、
請求項１に記載のストライキング機構（１００）。
【請求項１５】
前記ストライキング機構（１００）が、
ムーブメント（２００）によって駆動されるアワースネイル（１９０）と、
戻り止めラチェット（２２）及びリピーティングラックピニオン（２４）を含むストライクホイールセット（２）と、
前記スネイル（１９）を読み取り、前記ピニオン（２４）を駆動するための枢動アワーラック（２０）と、
前記戻り止めラチェット（２２）を駆動するために各パッシングストライクで作動されるクリック（８５）と
を含み、
特定のストライクモードの前記ユーザによる選択のためのモードセレクタ機構（９）が、サイレントモードを含む異なるモードの中で、外部プロファイル面（９８）を有するカム（９０）の角度位置を定義し、
サイレントモードにおいて、最大半径（９８Ｓ）が、サイレンシングレバー（６０）のくちばし部（６１）を押し戻し、すべてのパッシングストライク機能を無効にするために、その主アーム（６４）が前記クリック（８５）を前記ラチェット（２２）から離れさせる位置にそれを向ける
ことを特徴とする、
請求項１に記載のストライキング機構（１００）。
【請求項１６】
ムーブメントによってパッシングストライク機能を解放するための出力（３）を含む前記ムーブメント（２００）を備える時計（１０００）において、
前記ムーブメント（２００）が少なくとも１つの基準ホイールセット（１）を駆動するように配置され、
前記時計（１０００）が請求項１に記載の少なくとも１つの前記ストライキング機構（１００）を含む、
時計（１０００）。
【請求項１７】
ムーブメントによってパッシングストライク機能を解放するための出力（３）を含む前記ムーブメント（２００）を備える計時器（２０００）において、
前記ムーブメント（２００）が少なくとも１つの基準ホイールセット（１）を駆動するように配置され、
前記計時器（２０００）が請求項１に記載の少なくとも１つの前記ストライキング機構（１００）を含む、
計時器（２０００）。
【発明の詳細な説明】
【技術分野】
【０００１】
本発明は、ムーブメントを含む時計または計時器のためのストライキング機構に関し、前記ストライキング機構は、少なくとも２つの異なるパッシングストライクモードにおいて、少なくとも２つの異なるメロディによって、及び／または少なくとも２つの異なるゴングの組の上で作動可能である。
【０００２】
本発明は、ムーブメントによってパッシングストライクを解放するための出力を含むムーブメントを備える時計にさらに関し、このムーブメントは少なくとも１つの基準ホイールセットを駆動するように配置され、この時計はそのような少なくとも１つのストライキング機構を含む。
【０００３】
本発明はまた、ムーブメントによってパッシングストライク機能を解放するための出力を含むムーブメントを備える計時器に関し、このムーブメントは少なくとも１つの基準ホイールセットを駆動するように配置され、計時器はそのような少なくとも１つのストライキング機構を含む。
【０００４】
本発明は、時計、計時器、またはオルゴールのためのストライキング機構の分野に関する。
【背景技術】
【０００５】
計時器ストライキング機構は非常に複雑であり、それらの構成要素の運動学上の数及び複雑さだけでなく、それらの可能な作動モードに関しても複雑である。様々なストライクモードからの選択は、それ自体がさらに複雑であり、それはコラムホイールまたは同様のものなどの高価な構成要素を採用し、時計または計時器のケース内部の大きな空間を占め、多くの場合、この選択機能のために一組のノッチを有する。選択機構とケースの外部との間のインタフェースも、特定の密封性を持っていなければならない。様々なモードの間で安全機能を管理することは常に複雑である。
【０００６】
これらの機構は、さらにより多い数の異なるモードの選択のためにさらにより複雑になり、特に、一組の異なるメロディの間で区別が行われなければならないとき、たとえば、同一出願人による特許文献１の場合のように、打たれるクォーターまたは演奏される異なるゴングの間で差異化するために、同一出願人による特許文献２によるアラーム機構、同一出願人による特許文献３によるストライクまたはメロディの選択及び／または解放のための安全機構、同一出願人による特許文献４による分離可能なリフト部品を有するメロディ選択機構、あるいは、同一出願人による特許文献５によるカリヨンストライキング機構を組み込むときにそうである。
【０００７】
ＰＡＴＥＫ  ＰＨＩＬＩＰＰＥ名義の特許文献６は、機械式計時器ムーブメントによって自動的に解放できるリピータストライキング機構を含む機械式計時器ムーブメントを囲むケースを含む計時器を開示しており、ここで、ストライキング機構は、前記解放レバー上に枢動可能に取り付けられるクリックが設けられ、ストライキング機構のフュージーに含まれる戻り止めラチェットの歯部とかみ合うように配置される解放レバーを含み、それにより、自動解放時、好ましくは、計時器ムーブメントの筒かなと一体の、ムーブメントのモーションワークによって駆動されるナットは、解放レバーを戻り止めラチェットの方へ枢動させ、その結果、解放レバーが落下するとき、クリックくちばし部は戻り止めラチェットを順番に駆動し、ストライキング機構はストライクモード選択機構を含む。このストライクモード選択機構は、計時器の外側から利用可能であり、スライド部品から形成され、一方はストライクモードに対応し、他方はサイレントモードに対応する少なくとも２つの位置の間で、計時器ケースの周辺において前後移動として摺動するように取り付けられる操作部材を含む。
【０００８】
ＣＨＲＩＳＴＯＰＨＥ  ＣＬＡＲＥＴ名義の特許文献７は、ラックを駆動するためのエネルギー源と、エネルギー源を調整部材に接続する歯車列とを含むストライキング機構を開示しており、ラックは、列の内側に配置されて、制御部材によって作動するストライク駆動装置によってエネルギー源に運動学的に接続され、前記ラックは、現在時刻についての情報を得るためにスネイルと協働するように意図され、制御部材は、ストライキング機構が解放されるとき、少なくとも１つの接続要素及び前記カムを枢動させるための少なくとも１つの駆動ホイールセットを介して駆動装置と協働する少なくとも１つのカムが設けられるカムシャフトであることを特徴とする。
【０００９】
ＭＯＮＴＲＥＳ  ＢＲＥＧＵＥＴ名義の特許文献８は、計時器のための、二次ストライキング機構と呼ばれる、音響信号を解放するための機構を開示しており、それは少なくとも１つの計時器ムーブメントと、一方では、事前設定、及び／または、信号の受信、及び／または、物理パラメータのための閾値の横断に関連する特定の瞬間に二次ストライキング機構を解放するように配置される少なくとも１つの二次ストライク制御機構と、他方では、前記計時器ムーブメントによってプログラムされた瞬間に、または、要求に応じて、主ストライキング機構を解放するように配置される主ストライク制御手段によって制御される少なくとも１つのストライキングまたはグランドソヌリまたはミニッツリピータ機構とを含む。この二次ストライク開放機構は、前記二次ストライク制御機構を解放するための前記特定の瞬間に、主ストライク機能が前記主ストライク制御手段を分離することによって実行されることを防止するように、かつ、前記ストライキングまたはグランドソヌリまたはミニッツリピータ機構の少なくとも１つの部分を結合することによって、二次ストライク信号を解放するように配置され、前記二次ストライク制御機構を解放するための前記特定の瞬間以外で、前記二次ストライク制御機構を解放するための前記特定の瞬間に関連する前記二次ストライク機能の実行後、主ストライキング機構が前記主ストライク制御手段を結合することによって作動することを可能とするように、かつ、前記ストライキングまたはグランドソヌリまたはミニッツリピータ機構を結合することによって主ストライキング機構を解放するようにさらに配置される結合機構を含む。
【先行技術文献】
【特許文献】
【００１０】
【特許文献１】欧州特許第２９４７５２３Ｂ１号明細書
【特許文献２】欧州特許出願第１５１９０８０８．４号明細書
【特許文献３】欧州特許出願第１５１６８７００．１号明細書
【特許文献４】欧州特許出願公開第３１３６１８８Ａ１号明細書
【特許文献５】欧州特許出願第１６２０６５７２．６号明細書
【特許文献６】スイス特許第７０６０８０Ｂ１号明細書
【特許文献７】欧州特許出願公開第１９２５９９７Ａ１号明細書
【特許文献８】欧州特許出願公開第２４９８１４６Ａ１号明細書
【特許文献９】欧州特許出願第１５１８３１１０．４号明細書
【発明の概要】
【発明が解決しようとする課題】
【００１１】
本発明は、簡単かつ信頼性の高い方法で、平均的な複雑さの効率的な安全手段の実施態様と適合するストライキング機能のために採用されるストライクモードの、及びメロディの、及び／またはゴングの組の選択を実現することを提案する。
【課題を解決するための手段】
【００１２】
このため、本発明は、請求項１に記載のストライキング機構に関する。
【００１３】
本発明は、ムーブメントによってパッシングストライクを解放するための出力を含むムーブメントを備える時計にさらに関し、このムーブメントは少なくとも１つの基準ホイールセットを駆動するように配置され、時計はそのような少なくとも１つのストライキング機構を含む。
【００１４】
本発明はまた、ムーブメントによってパッシングストライク機能を解放するための出力を含むムーブメントを備える計時器に関し、このムーブメントは少なくとも１つの基準ホイールセットを駆動するように配置され、計時器はそのような少なくとも１つのストライキング機構を含む。
【００１５】
本発明の他の特徴及び利点は、添付の図面を参照しながら以下の詳細な説明を読めば明らかになるであろう。
【図面の簡単な説明】
【００１６】
図１〜８は、同じ位置における本発明によるストライキング機構を、２つずつ、平面図で概略的に表し、奇数の図は裏面を示し、偶数の図は表面を示す；すべての構成要素が表されているわけではなく、示された機能を実行するために不可欠のものだけが見えている：
【図１】図１は、プティットソヌリモードにおける、本発明によるストライキング機構を表す。
【図２】図２は、プティットソヌリモードにおける、本発明によるストライキング機構を表す。
【図３】図３は、グランドソヌリモードにおける、本発明によるストライキング機構を表す。
【図４】図４は、グランドソヌリモードにおける、本発明によるストライキング機構を表す。
【図５】図５は、サイレントモードにおける、本発明によるストライキング機構を表す。
【図６】図６は、サイレントモードにおける、本発明によるストライキング機構を表す。
【図７】図７は、グランドソヌリモードにおいて止められる、本発明によるストライキング機構を表す。
【図８】図８は、グランドソヌリモードにおいて止められる、本発明によるストライキング機構を表す。
【図９】図９は、サイレントモードにおいて止められる、本発明によるストライキング機構を表す。
【図１０】図１０は、サイレントモードにおいて止められる、本発明によるストライキング機構を表す。
【図１１】図１１は、図９の詳細である。
【図１２】図１２は、本発明によるストライキング機構のひとそろいの主構成要素の両側からの概略平面図である。  図１３〜１８は、本発明によるストライク選択及びモード選択を組み合わせ、プティットソヌリモードで演奏される第１のメロディ、及びグランドソヌリモードにおける第１のメロディと異なる第２のメロディを可能にするストライキング機構の第１の変形形態を図１〜８と同様の方法で表す。
【図１３】図１３は、第１のメロディによるプティットソヌリモードにおける、本発明によるストライキング機構を表す。
【図１４】図１４は、第１のメロディによるプティットソヌリモードにおける、本発明によるストライキング機構を表す。
【図１５】図１５は、第２のメロディによるグランドソヌリモードにおける、本発明によるストライキング機構を表す。
【図１６】図１６は、第２のメロディによるグランドソヌリモードにおける、本発明によるストライキング機構を表す。
【図１７】図１７は、サイレントモードにおける、本発明によるストライキング機構を表し、これは、ミニッツリピータ制御装置によって第２のメロディを演奏することが可能である。
【図１８】図１８は、サイレントモードにおける、本発明によるストライキング機構を表し、これは、ミニッツリピータ制御装置によって第２のメロディを演奏することが可能である。
【図１９】図１９は、この第１の変形形態のストライキング機構のひとそろいの主構成要素の両側からの概略平面図である。  図２０〜２９は、本発明によるストライク選択及びモード選択を組み合わせる第２のストライキング機構変形形態を図１３〜１８と同様の方法で表し、一方または他方は、各ストライクモードにおいて、第１のメロディまたは第２のメロディが演奏されることを可能にする：
【図２０】図２０は、第１のメロディによるプティットソヌリモードにおける、本発明によるストライキング機構を表す。
【図２１】図２１は、第１のメロディによるプティットソヌリモードにおける、本発明によるストライキング機構を表す。
【図２２】図２２は、第２のメロディによるプティットソヌリモードにおける、本発明によるストライキング機構を表す。
【図２３】図２３は、第２のメロディによるプティットソヌリモードにおける、本発明によるストライキング機構を表す。
【図２４】図２４は、第１のメロディによるグランドソヌリモードにおける、本発明によるストライキング機構を表す。
【図２５】図２５は、第１のメロディによるグランドソヌリモードにおける、本発明によるストライキング機構を表す。
【図２６】図２６は、第２のメロディによるグランドソヌリモードにおける、本発明によるストライキング機構を表す。
【図２７】図２７は、第２のメロディによるグランドソヌリモードにおける、本発明によるストライキング機構を表す。
【図２８】図２８は、サイレントモードにおける、本発明によるストライキング機構を表し、これは、ミニッツリピータ制御装置によって第１のメロディを演奏することが可能である。
【図２９】図２９は、サイレントモードにおける、本発明によるストライキング機構を表し、これは、ミニッツリピータ制御装置によって第１のメロディを演奏することが可能である。
【図３０】図３０は、この第２の変形形態のストライキング機構のひとそろいの主構成要素の両側からの概略平面図である。
【図３１】図３１は、本発明によるストライキング機構を備える時計を表すブロック図である。
【図３２】図３２は、本発明によるストライキング機構を備える音楽計時器を表すブロック図である。
【発明を実施するための形態】
【００１７】
本発明は、少なくとも１つの特定のストライキング機構１００を含む時計１０００または計時器２０００に関する。この計時器２０００はオルゴールでもよく、または、オルゴールを含んでもよい。
【００１８】
Ｌｅｓ  ｍｏｎｔｒｅｓ  ｃｏｍｐｌｉｑｕｅｅｓ（Ａ  Ｇｕｉｄｅ  ｔｏ  Ｃｏｍｐｌｉｃａｔｅｄ  Ｗａｔｃｈｅｓ）と題されるＦｒａｎｃｏｉｓ  ＬＥＣＯＵＬＴＲＥによる著作物（Ｅｄｉｔｉｏｎｓ  Ｈｏｒｌｏｇｅｒｅｓ，  Ｂｉｅｎｎｅ  （Ｓｗｉｔｚｅｒｌａｎｄ）、１９８５、ＩＳＢＮ  ２−８８１７５−０００−１）は、９７〜２０５ページ（英語版の８５〜１８１ページ）のそれぞれの章：
ｒｅｐｅａｔｉｎｇ  ｗａｔｃｈｅｓ、
ｏｌｄ  ｒｅｐｅａｔｉｎｇ  ｗａｔｃｈｅｓ、
ｍｏｄｅｒｎ  ｑｕａｒｔｅｒ−ｒｅｐｅａｔｅｒ、
ｓｉｍｐｌｉｆｉｅｄ  ｒｅｐｅａｔｅｒ、
ｈａｌｆ−ｑｕａｒｔｅｒ  ｒｅｐｅａｔｅｒ、
Ｂｒｅｇｕｅｔ  ｈａｌｆ−ｑｕａｒｔｅｒ  ｒｅｐｅａｔｅｒ、
ｆｉｖｅ  ｍｉｎｕｔｅ−ｒｅｐｅａｔｅｒ、
ｍｉｎｕｔｅ−ｒｅｐｅａｔｅｒｓ
ｃｌｏｃｋ  ｗａｔｃｈｅｓ
において、ストライキング機構を形成する基本機構を詳細に説明している。必要な場合を除いて、これらの基本機構は本明細書で詳細には論じられないが、それは、ストライキング機構の専門家は、この全般的な参照著作物で、特に、上記の最後の２つの章でそのような機構の構成を見つけ出す方法を知っているためである。
【００１９】
本発明によるストライキング機構１００は、従来の態様で、時間基準スネイル及び／または星形、特に、ミニッツスネイル、クォータースネイル、及びアワースネイル１９０を含む、少なくとも１つの基準ホイールセット１、好ましくは、複数の基準ホイールセット１を含む。
【００２０】
このストライキング機構１００はまた、「Ａ  Ｇｕｉｄｅ  ｔｏ  Ｃｏｍｐｌｉｃａｔｅｄ  Ｗａｔｃｈｅｓ」の「Ｃｌｏｃｋ  Ｗａｔｃｈｅｓ」の章で特に説明され、特にこの本の図４０で見ることができるように、少なくとも１つのストライク駆動ホイールセット２を含む。このストライク駆動ホイールセット２は従来、戻り止めラチェット２２と、リピーティングラックピニオン２４とを含む。
【００２１】
ストライキング機構１００は、少なくとも２つの異なるパッシングストライクモードにおいて、少なくとも２つの異なるメロディによって、及び／または少なくとも２つの異なるゴングの組の上で作動可能である。
【００２２】
このストライキング機構１００は、メロディ及び／またはゴングセレクタ機構と組み合わされるモードセレクタ機構９を含む。モードセレクタ機構９は、より詳細には、どのストライクモードを使用するかユーザが選択できるユーザアクセス可能モードセレクタ９６と、パッシングストライクのためにムーブメント２００によって制御される、ならびに／または、メロディ及び／もしくはゴングの組を選択するために、パッシングストライク機能を実行するために、または、ストライキング機構１００がミニッツリピータ機構を含むときはミニッツリピータ機能のためにユーザにアクセス可能であるメロディまたはゴングの組を選択するための少なくとも１つの手段とを含む。
【００２３】
より詳細には、ストライキング機構１００は、モードセレクタ９６とは異なる、メロディまたはゴングの組を選択するための少なくとも１つの手段１０３、１０４を含む。
【００２４】
ストライキング機構１００は、１５分ごとに、主レバー７０として以下で言及される、ムーブメントによる解放のための中間レバーを持ち上げるために、ムーブメントによってストライキング機構を解放するための、筒かな上に取り付けられ、４つの歯を含む、星形１３０の非限定的な形態で、基準ホイールセット１（単数または複数）を駆動して、図に示される特定の出力３を有するムーブメント２００と協働する。
【００２５】
ストライキング機構１００は、この主レバー７０を介して、ムーブメント２００の出力３と間接的に協働するように配置される少なくとも１つの枢動部を含み、特に、そのような基準ホイールセット１を読み取るためのフィーラアームと、リピーティングラックピニオン２４を駆動するためのラックとを含む。これらの枢動部の１つは、アワースネイル１９０と協働するように配置されるアワーラック２０である。ストライキング機構１００は、各パッシングストライク時に作動され、可能な場合、戻り止めラチェット２２を駆動するように配置される主クリック８５をさらに含む。
【００２６】
本発明によるストライキング機構１００は、主ストライクモードである：グランドソヌリ、プティットソヌリ、アラーム、サイレントのすべてまたは一部を含み、より詳細には、ミニッツリピータ機構、特に、「Ａ  Ｇｕｉｄｅ  ｔｏ  Ｃｏｍｐｌｉｃａｔｅｄ  Ｗａｔｃｈｅｓ」の「Ｍｉｎｕｔｅ  Ｒｅｐｅａｔｅｒ」の章で特に説明されるようなミニッツリピータ機構を含む。
【００２７】
図に示される非限定的な変形形態は、３つのストライクモードである：グランドソヌリ（ＧＳ）、プティットソヌリ（ＰＳ）、サイレント（Ｓ）と、ミニッツリピータとを含む。このミニッツリピータ機構は、特に、その中に含まれるフィーラアーム２９を介してアワースネイル１９０と協働するように配置されるアワーラック２０を含む。
【００２８】
より詳細には、ストライキング機構１００はモードセレクタ機構９を含む。このモードセレクタ機構９は、どのストライクモードを使用するかユーザが選択でき、少なくとも１つのカム９０の角度位置を制御するユーザアクセス可能モードセレクタ９６を備える。
【００２９】
変形形態において、時計１０００のためのストライキング機構１００は、ムーブメント２００によって駆動されるアワースネイル１９０と、戻り止めラチェット２２及びリピーティングラックピニオン２４を含むストライクホイールセット２と、スネイル１９を読み取り、ピニオン２４を駆動するための枢動アワーラック２０と、戻り止めラチェット２２を駆動するために各パッシングストライクで作動されるクリック８５とを含み、特定のストライクモードのユーザによる選択のためのモードセレクタ機構９は、サイレントモードを含む異なるモードの中で、外部プロファイル面９８を有するカム９０の角度位置を定義する。また、サイレントモードにおいて、最大半径９８Ｓは、サイレンシングレバー６０のくちばし部６１を押し戻し、すべてのパッシングストライク機能を無効にするために、その主アーム６４がクリック８５をラチェット２２から離れさせる位置にそれを向ける。
【００３０】
変形形態において、モードセレクタ機構９は、図で示される変形形態の場合のように、ストライキング機構の示されたモードと同じだけ多くの特定の位置を有してもよい、または、これらのモードのいくつかにのみに特有の位置を含む、少なくとも１つのカム９０を含む。示される変形形態は、選択可能なモードのうちの１つにそれぞれ対応する３つの切欠き部を含む平坦なカム９０を表し：９３はプティットソヌリ、９４はグランドソヌリ、９５はサイレンスである。より詳細には、切欠き部は様々なサイズの切欠きであり、作動の２つの方向のうちの１つに力を増加させることを必要とする。より詳細には、１つの特定の切欠き、たとえば中央の切欠きは、端の切欠きより大きく、ユーザが１つのストライクモードから別のモードに意図せずに変えてしまうことを防止することによって安全性を保証する。
【００３１】
カム９０は、異なるモードのために特定の位置を占める。このカム９０は、サイレンシングレバー６０に含まれるくちばし部６１と協働するように配置される連続的な、外部の、フィーラアーム支持プロファイル面９８を有する。この外部プロファイル面９８は、サイレントモードに対応するより大きい半径９８Ｓの領域を含み、それは、図５から分かるように、サイレントモードですべてのパッシングストライクを無効にするために、サイレンシングレバー６０の主アーム６４が主クリック８５を戻り止めラチェット２２から離す位置にサイレンシングレバー６０を向けるように配置される。
【００３２】
本発明は、さらにより多い数の異なるモードの選択に好適であり、特に、たとえば、同一出願人による特許文献１の場合のように、打たれるクォーターまたは異なるゴングの組の間で差異化するために、一組の異なるメロディの間で区別が行われなければならないとき、あるいは、同一出願人による特許文献２によるアラーム機構、同一出願人による特許文献３によるストライキング機構もしくはメロディの選択及び／もしくは解放のための安全機構、同一出願人による特許文献９による分離可能なリフト部品を有するメロディ選択機構、または、同一出願人による特許文献５によるカリヨンストライキング機構を組み込むときにそうであることが理解される。
【００３３】
よって、カム９０は複数の切欠きを含むことができる：それらは、ＧＳメロディＡ、ＧＳメロディＢ、ＰＳメロディＡ、ＰＳメロディＢ、Ｓ、及び／または、さらに：ＧＳゴングＡ、ＧＳゴングＢ、ＰＳゴングＡ、ＰＳゴングＢ、Ｓである。単一のカムに対してあまりに多くの異なるモードがあるとき、モードセレクタ機構９は、複数のカム９０、特に、重ね合わされたカムを含むことができ、それぞれ、たとえば、特定のメロディ、または特定のゴングで、またはそれ以外のものを有するこれらのモードのいくつかに関連する。
【００３４】
そのような配置は、特に、演奏されるメロディ及び／または使用されるゴングによるストライクモードを区別することを可能にする。たとえば、グランドソヌリモードは、第１のメロディ及び／またはゴングの第１の組に対応し、プティットソヌリモードは、第２のメロディ及び／またはゴングの第２の組に対応する。
【００３５】
それぞれのカム９０は、特に同軸状に、重ね合わせることができる、または、１つの平面に並置することができる、そして、特に直列に配置することができることが理解される。
【００３６】
ユーザによって選択される１つのみのモードがストライキング機構１００によって実行されることを保証することが意図されるモード選択に加えて、モードセレクタ機構９は、クリックをストライク駆動ホイールセット２から離すことによって、サイレントモードのストライキング機構を無効にし、対応するスネイルへのアワーラックによるアクセスを防止する。
【００３７】
特に、ストライキング機構１００は、リピータクリック４０を含むミニッツリピータ制御装置４を有するミニッツリピータを含み、前記アワーラック２０がアワースネイル１９０上での読み取りを実行すると、戻り止めラチェット２２を駆動するように配置される。また、サイレントモードにおいて、サイレンシングレバー６０の主アーム６４は、戻り止めラチェット２２へのリピータクリック４０のアクセスを可能にするが、それは、利用可能なエネルギーがストライキング機能を完了するのに十分である場合に限られる。
【００３８】
特定の実施形態において、ストライキング機構１００は、１時間ごと及び１５分ごとのパッシングストライクのための、１５分ごとに１時間のものを繰り返すグランドソヌリモードと、１時間ごと及び１５分ごとのパッシングストライクのための、１５分ごとに１時間のものを繰り返さないプティットソヌリモードとを含む。よって、ストライキング機構１００は、プティットソヌリレバー８０を含み、それは、プティットソヌリモードが選択されたとき、プティットソヌリレバー８０が、アワースネイル１９０の方にアワーラック２０が移動することを防止する位置にプティットソヌリレバー８０を向けるために、セレクタ機構９のカム９０に含まれるカムピン９７に関係することによって協働するように配置され、１時間ごとのものが１５分ごとに打たれることが防止される。
【００３９】
この同じ配置で、グランドソヌリモードが選択されると、カムピン９７は、プティットソヌリレバー８０が、アワースネイル１９０の方にアワーラック２０が移動することを可能にする別の位置にプティットソヌリレバー８０を向けて、１時間ごとのものが１５分ごとに自動的に打たれることを可能にする。
【００４０】
１時間ごとのパッシングストライクと１５分ごとのパッシングストライクとを区別するために、ストライキング機構１００は有利なことには、出力３によって駆動され、１５分のストライクを自動的に解放するように配置される４つ歯の星形１３０と同軸にプティットソヌリレバー８０を持ち上げて、アワーラック２０がアワースネイル１９０の方に移動することを可能にするように配置される先端部１３２を備える涙形アワーカム１３１を備える。
【００４１】
特に、サイレントモードにおいて、有利なことには、ストライキング機構１００が、利用可能なエネルギー量がストライキング機能の完了を保証するには不十分である場合に、任意のストライキング機能が実行されることを防止するように配置される特定の停止機能を含むとき以外は、モードセレクタ機構９の作動はミニッツリピータの作動を妨げない：さらにストライキング機構１００は有利なことには、再始動時に衝突を引き起こす可能性がある中間位置に停止する特定のホイールセットによって提示されるリスクを回避するために、任意のストライキング機能が実行されることを防止するように配置される停止機構５を備える。ミニッツリピータの作動も妨げられるのは、停止機能が起動されるときのみである。
【００４２】
この停止機構５は、利用可能エネルギーがストライキング機能を完了するには不十分であるとき、ストライク反転レバー５９を枢動するように配置される。このストライク反転レバー５９は、ストライク解放レバー５５の枢動を制御し、それは、利用可能エネルギーがストライキング機能を完了するには不十分であるとき、戻り止めラチェット２２へのリピータクリック４０によるアクセスを防止するように、かつ、利用可能エネルギーがストライキング機能を完了するには不十分であるとき、主クリック８５を戻り止めラチェット２２から離すように配置される。
【００４３】
モードセレクタ機構９は好ましくは、時計ケース上での切欠きシステムの使用を回避するように設計され、それは従来技術における標準である：このために、モードセレクタレバー９６は有利なことには、特に、図で分かるような関節接続を介して、カム９０（単数）または２つ以上あるときはカム９０（複数）の枢動を制御する。より詳細には、所定の位置にそれを保持するためのカムジャンパばね９２と関連するカムジャンパ９１は、カム９０の切欠きの１つと協働するセレクタ指９９を含む。このジャンパ９１及びそのばね９２は、２つの機能：ユーザが切欠きの変化を感じることを可能にすること、及び、決して中間位置にではなく、モードの１つに対応する明確な位置への復帰によって、選択動作の完了の確実性を提供することを有する。有利なことには、ばね９２は、安全性を保証するために、特に、時計ケースのガスケットの摩擦力を克服するために、必要以上に大きい。
【００４４】
このカム９０はまた、プティットソヌリレバー８０のための停止部を形成するように配置されるカムピン９７を含み、その機能は以下で説明される。モード選択ノッチに加えて、カム９０は有利なことには、サイレンシングレバー６０のくちばし部６１と協働するように配置される、少なくとも２つのフィーラアーム支持領域：サイレントモードに対応するより大きい半径９８Ｓの領域、及び、停止機能及びグランドソヌリモードが存在するときのグランドソヌリモードでの停止に対応するより小さい半径９８ＡＧＳの領域を含む連続的な外部プロファイル面９８を備える。
【００４５】
モード選択機構９は、それぞれのストライキング機構のために使用することができる。ミニッツリピータ機構を含むストライキング機構１００の従来の構成要素とのその相互作用は、以下に詳述される特定の配置で示され、機械式時計または計時器のためのストライキング機構を専門に扱う当業者は、変形形態を表す任意の機構にそれらを移す方法を知っている。
【００４６】
このストライキング機構１００は、最初は、停止機構なしで表示される。
【００４７】
図１及び２は、プティットソヌリ切欠き９３ＰＳに対応する割り出し位置におけるモードセレクタ機構９を示し、それはパッシング時に時間を打ち、パッシング時のみに１５分を打つ。作動の説明を簡略化するために、通常のクォーターラック及びクォータースネイルは表されていない。
【００４８】
基準ホイールセット１の近くに配置される星形車１３０は、ストライク解放主レバー７０に含まれる、くちばし部７２、特に弾性くちばし部と１５分ごとの協働に入るように配置される。
【００４９】
このクォーターラック２０は、アワースネイル１９０を感知するように配置されるフィーラアーム２９と、ストライク駆動ホイールセット２に含まれるリピーティングラックピニオン２４と協働するように配置されるラック２５とを含む。アワーラック２０は、フィーラアーム２９に対して後退され、フィーラアーム２９と同じ側部の平坦な当接部２７で終わるリブ２３をさらに含む。
【００５０】
ストライク駆動ホイールセット２は、従来の態様で、主ストライククリック８５、または、ピン４１が設けられてミニッツリピータ制御装置４に含まれるミニッツリピータ解放クリック４０のどちらかと協働するように配置される戻り止めラチェット２２を含み、この後者のクリック４０はばね４３と協働する。
【００５１】
ストライク解放主レバー７０の枢動は、ムーブメントによる解放のためにレバー５０の枢動を引き起こし、それは、解放レバー５０によっても支持される主ストライククリック８５上に静止するスラストばね５２を支持する。
【００５２】
従来のプティットソヌリレバー８０はドテピン８２を支持する。プレートに固定される分離ばね８３によって戻されるこのプティットソヌリレバー８０は、カム９０に含まれるカムピン９７上に静止するように配置される分離くちばし部８１を含む。
【００５３】
プティットソヌリレバー８０は、アワーラック２０のある角をなす移動の間、アワーラック２０に面し、ドテピン８２はアワーラック２０のリブ２３のレベルにあり、同じ半径上で、それがアワーラック２０の平坦部分２７に当接して協働することを可能にし、それがアワースネイル１９０に到達することを防止することによってアワーラック２０を固定することを可能にし、その結果、プティットソヌリモードに特有の作動に従って、時間ストライクは１５分ごとに繰り返されない。
【００５４】
時間が１時間で打たれることを保証するために、星形車１３０は涙形アワーカム１３１と一体であり、その先端部１３２は、プティットソヌリレバー８０、よって、そのドテピン８２を持ち上げるように配置され、アワースネイル１９０を読むために、アワーラック２０のフィーラアーム２９が通り過ぎことを可能にする。
【００５５】
図３及び４は、グランドソヌリ切欠き９４ＧＳに対応する割り出し位置におけるモードセレクタ機構９を示し、それはパッシング時に時間を打ち、パッシング時に時間を繰り返して１５分を打つ。通常のクォーターラック及びクォータースネイルは表されていない。カムピン９７は、プティットソヌリの場合よりも、分離くちばし部８１の端部からのより大きい距離で、プティットソヌリレバー８０に関係があり、結果的に、ドテピン８２は、もはや、リブ２３の、またはアワーラック２０の平坦部分２７のレベルにはないが、凹部２８のレベルにあり、アワーラック２０が１５分ごとにアワースネイル１９０の方へ自由に枢動することを可能にする。
【００５６】
サイレントモードでの作動のために、ストライキング機構１００は、サイレンシングレバー６０として以下で言及される、グランドソヌリ及びプティットソヌリアイソレータを含み、それは、第１の端部における、モードセレクタカム９０の周辺領域９８のうちの１つと協働するように配置される読み取りくちばし部６１と、第２の端部６２における、主ストライククリック８５に含まれ、主クリックピン８６を止めるように配置される主アーム６４とを含む。このサイレンシングレバー６０は、その枢軸の近くのその中央部分で、サイレンシングピン６３を含む。
【００５７】
ばね６５は、ピン６３を介してサイレンシングレバー６０を拘束し、その結果、レバーは常にそのくちばし部６１を介してカム９０と接触している。選択されたモードがサイレントモードであるとき、このサイレンシングレバー６０は枢動し、その部分６２は、クリック８５をラチェット２２から切り離すために移動する。カムピン９７は、プティットソヌリレバー８０の分離くちばし部８１と接触している。ミニッツリピータ機能の間（プティットソヌリモードにおいて）、レバー（図には表されていない）は、制御装置４とレバー８０の穴との間でリンクを形成し、その結果、アワーラック２０は構成要素１のアワースネイル１９０に落ちることができる。
【００５８】
サイレンシングレバー６０は図５〜１１で参照され、それは実質的にストライク解放レバー５５を備える停止機構５も含む。よって、ストライキング機構１００は、サイレンシングレバー６０及びストライク解放レバー５５を含み、それらは部分的に重ね合わせられて、ストライク駆動ホイールセット２のラチェット２２への特定のクリックによるアクセスを防止するようにそれぞれ配置される。実際、ストライク解放レバー５５は停止アーム５６を含み、それはミニッツリピータ制御装置４の、ミニッツリピータ解放クリック４０に含まれるリピータクリックピン４１を止めるように配置される。
【００５９】
図５及び６は、サイレントモード切欠き９５Ｓに対応する割り出し位置におけるモードセレクタ９を示し、プティットソヌリ及びグランドソヌリ機構は分離されるが、ミニッツリピータを作動させることは可能である。サイレンシングレバー６０の読み取りくちばし部６１は、カム９０の周辺ショルダ９８の最大半径９８Ｓ上に静止し、結果的に、一方では、プティットソヌリレバー８０はばね６７を介してカムピン９７によって止められ、他方では、サイレンシングレバー６０の主アーム６４は、ストライク駆動ホイールセット２からその最も遠い位置にあり、主クリックピン８６を止める。逆に、この極端な位置を阻むものは何もないので、ストライク解放レバー５５はストライク駆動ホイールセット２に非常に近く、結果的に、ミニッツリピータ解放クリック４０は妨げられず、戻り止めラチェット２２にアクセスでき、よって、ミニッツリピータは、ユーザによって自由に起動できる。
【００６０】
図７及び８は、グランドソヌリモードにおける停止を示し、グランドソヌリ切欠き９４ＧＳに対応する割り出し位置におけるモードセレクタ９を示す。利用可能エネルギーの量が香箱（単数または複数）などにおいて不十分であるとき、停止機構５はすべてのクリックを分離するように配置される。このとき、サイレンシングレバー６０の読み取りくちばし部６１は、カム９０の周辺ショルダ９８の最小半径９８ＡＧＳ上に静止し、その第２の端部６２で、サイレンシングレバー６０の主アーム６４は、ストライク駆動ホイールセット２に対してその最も近い位置にあり、主クリックピン８６を止めることができない。他方で、ストライク解放レバー５５は、ストライク駆動ホイールセット２からその最も遠い位置にあり、結果的に、主クリック８５の主ピン８６及びリピータクリックピン４１の両方を妨げ、よって、主クリック８５及びミニッツリピータ解放クリック４０は妨げられて、戻り止めラチェット２２にアクセスできない。ミニッツリピータは、ユーザによって起動できない。したがって、ストライキング機能は起動できない。モード選択レバー９６が別の位置に移動することを防止するものはない。
【００６１】
図９〜１１は、サイレントモードにおける停止を示し、サイレントモード切欠き９５Ｓに対応する割り出し位置におけるモードセレクタ９を示す。これらの図は、ストライク解放レバー５５の関節制御のための作動ボルト５９を示す。サイレンシングレバー６０の読み取りくちばし部６１は、カム９０の周辺ショルダ９８の最大半径９８Ｓ上に静止し、サイレンシングレバー６０の主アーム６４は、ストライク駆動ホイールセット２からその最も遠い位置にあり、主クリックピン８６を止める。ストライク解放レバー５５はまた、ストライク駆動ホイールセット２からその最も遠い位置にあり、リピータクリックピン４１を妨げる。よって、主クリック８５及びミニッツリピータ解放クリック４０は妨げられ、戻り止めラチェット２２にアクセスできない。
【００６２】
十分なエネルギーがないとき、停止機構のみ起動し、その他の場合には、この停止機構は切断されることは明らかである。
【００６３】
図１３〜１９は、本発明による、ストライク選択及びモード選択を組み合わせるストライキング機構の第１の変形形態を示し、それは、プティットソヌリモードでの第１のメロディの演奏、及びグランドソヌリモードでの第１のメロディとは異なる第２のメロディの演奏を可能にする。
【００６４】
図２０〜２９は、本発明による、ストライク選択及びモード選択を組み合わせるストライキング機構の第２の変形形態を示し、一方または他方は、各ストライクモードにおいて、第１のメロディまたは第２のメロディが演奏されることを可能にする。
【００６５】
唯一の制限は、時計または音楽計時器の内部の利用可能な空間の制限である：これらの第１及び第２の変形形態はそれぞれ、２つのメロディ本明細書に提示されることが理解されるが、ストライキング機構は、同一出願人による特許文献１、及び、同一出願人による特許文献２、特許文献３、特許文献５、特許文献９の教示と組み合わせて、より多くのメロディを演奏する可能性があり、あるいは、ゴングまたはチャイムのそれぞれの組のメロディの間で差異化する可能性があることが理解される。これらの特許文献の詳細は本明細書では繰り返されない。同様に、モード選択は、１つの平面における同軸カム及び／または並置されたカムによって実行することができる。
【００６６】
本発明は、第１のメロディ及び第２のメロディの特定のケースで、以下に説明される。それは明らかに、上記の特許出願の教示に従って、より多い数のメロディに、あるいは、メロディの代わりにまたはそれに加えてゴングの特定の組の選択に適用可能である。
【００６７】
本発明の特定の実施形態において、ストライキング機構１００は、ストライクハンマを作動させるための異なるトリップ１０７を制御するように配置されるメロディセレクタ１０６と協働するように両方配置される少なくとも第１のメロディレバー１０３及び第２のメロディレバー１０４と協働するように配置されるメロディセレクタカム１０１を含む。この第１のメロディレバー１０３及び第２のメロディレバー１０４はそれぞれ、メロディセレクタカム１０１の周辺１０１１上を移動するように配置される中間フィーラくちばし部１０３０、１０４０を含む。メロディセレクタカム１０１は、メロディ選択フィーラアーム１０５のフォーク１０５０を駆動するピン１０１０を含み、メロディ選択フィーラアーム１０５の第１の指１０５１は、モードによるメロディ選択カム１０２の周辺１０２１に追従し、その角度位置は、モードセレクタ９６によって直接または間接的に制御され、第２の移動制限指１０５２を含む。モードによるメロディ選択カム１０２は、より詳細には、メロディセレクタカム１０１と同じ平面にある。
【００６８】
第１の実施形態において、プティットソヌリレバーは、図１〜１１から分かるように、ピン９７と相互に作用する。
【００６９】
より詳細には、モードセレクタ９６は、モードによるメロディ選択カム１０２と一体的に枢動する、図１７で参照される、切欠き区域１０２０の角度位置を制御するように配置され、切欠き区域１０２０は、ジャンパ及び／または保持ばねによって所定の位置に保持される。
【００７０】
より詳細には、モードセレクタ機構９は、ユーザにアクセス可能であり、モードセレクタ９６を形成し、メロディ及び／またはゴングの組の前記選択も制御するように配置される単一の作動部材を含む。
【００７１】
第２の変形形態によるストライキング機構１００は、同様に、ストライクハンマを作動させるための異なるトリップ１０７を制御するように配置されるメロディセレクタ１０６と協働するように両方配置される少なくとも第１のメロディレバー１０３及び第２のメロディレバー１０４を含み、第１のメロディレバー１０３及び第２のメロディレバー１０４はそれぞれ、第１のメロディを制御する第１のカム１１４及び第２のメロディを制御する第２のカム１１５それぞれの周辺上を進む中間フィーラくちばし部１０３０、１０４０を含む。
【００７２】
より詳細には、モード及びメロディ選択は、本明細書では、一方が他方の上に積み重ねられたいくつかのカムを含む制御ホイールセット１１０によって制御され、第１のカム１１１、９０は、図２１で参照される、保持ばねによるジャンパ１１６、９１によるそのある角をなす位置決め及び保持のために、ならびに、その周辺輪郭１１３を介してプティットソヌリ、グランドソヌリ、及びサイレントモードを制御するために、切欠き１１２、９３を含み、ストライキング機構１００がミニッツリピータ機構を含むとき、ミニッツリピータ機能とパッシングストライク機能との間の任意の干渉を防止するように配置される、パッシングストライクアイソレータ１０９に含まれるくちばし部１０９０が続く。
【００７３】
より詳細には、図に表されるように、より低いレベルで、第１のカム１１１は、上で提示されたカム９０と同様であり、ジャンパ切欠き１１２を含み、プティットソヌリ、グランドソヌリ、及びサイレントモードは、その周辺輪郭１１３によって制御され、それは、ミニッツリピータ機能とパッシングストライク機能との間の任意の干渉を防止するように配置される、パッシングストライクアイソレータ１０９のくちばし部１０９０が続く。
【００７４】
この制御ホイールセット１１０は、非常に小型であり、ストライクホイールセット２よりも小さい高さ空間を使用する。
【００７５】
異なる実施形態によると、モードセレクタ機構９０は、少なくとも第１のカム９０、１１１または切欠き区域１０２０を含み、それらは、ストライキング機構の示されたモードと同じだけ多くの特定の位置を有してもよい、または、前記モードのいくつかのみに特有の位置を有する。
【００７６】
より詳細には、第１のカム９０、１１１または切欠き区域１０２０は、それぞれが選択可能なモードの１つに対応する切欠き部９３、９４、９５を含む。より詳細には、さらに、これらの切欠き部は様々なサイズの切欠きであり、作動の２つの方向のうちの１つに力を増加させることを必要とする。より詳細には、中心のまたは中心に近い１つの特定の切欠きは端の切欠きより大きく、ユーザが１つのストライクモードから別のモードに意図せずに変えてしまうことを防止することによって安全性を保証する。
【００７７】
変形形態において、モードセレクタ機構９は、それぞれのメロディの組及び／またはそれぞれのゴングの組の間で差異化するように配置される少なくとも１つのメロディカム１０１、１１４、１１５を含む。より特に、モードセレクタ機構９は、各ストライクモードに割り振られるメロディ及び／またはゴングの間で差異化するための複数の切欠きを含む少なくとも１つの前記カム９０、１１１を含む。
【００７８】
有利なことには、ストライキング機構１００は、サイレントモードを含む少なくとも２つの異なるモードで作動可能である。
【００７９】
これらのそれぞれの変形形態は、多くの共通の構成要素を使用し、それが、非常に複雑なために常に高くなる製造コストを減少させることが分かる。
【００８０】
したがって、本発明は、様々な差異化されたストライキング機能を作成する可能性を提供し、それらは、たとえば、昼／夜、ＡＭ／ＰＭ、毎週の休日などのパッシングストライクのために時計または計時器ムーブメント２００によって制御される、あるいは、ユーザによって適切だと思うように制御される。
【００８１】
本発明は、ムーブメントによってパッシングストライク機能を解放するための出力３を含むムーブメント２００を備える時計１０００にも関し、このムーブメント２００は少なくとも１つの基準ホイールセット１を駆動するように配置され、時計１０００は少なくとも１つのそのようなストライキング機構１００を含む。
【００８２】
本発明は、ムーブメントによってパッシングストライク機能を解放するための出力３を含むムーブメント２００を備える計時器２０００にも関し、このムーブメント２００は少なくとも１つの基準ホイールセット１を駆動するように配置され、時計２０００は少なくとも１つのそのようなストライキング機構１００を含む。
【符号の説明】
【００８３】
１  基準ホイールセット
２  ストライク駆動ホイールセット
９  モードセレクタ機構
１９  スネイル
２０  枢動アワーラック
２２  戻り止めラチェット
６０  サイレンシングレバー
６１  くちばし部
６４  主アーム
８５  クリック
９０  カム
９６  モードセレクタ
１００  ストライキング機構
１０１  メロディセレクタカム
１０２  モードによるメロディ選択カム
１０３  第１のメロディレバー
１０４  第２のメロディレバー
１０７  トリップ
１０８  プティットソヌリレバー
１９０  アワースネイル
２００  ムーブメント
１０００  時計
２０００  計時器
【図１】
2019028069.tif 000003
【図２】
2019028069.tif 000004
【図３】
2019028069.tif 000005
【図４】
2019028069.tif 000006
【図５】
2019028069.tif 000007
【図６】
2019028069.tif 000008
【図７】
2019028069.tif 000009
【図８】
2019028069.tif 000010
【図９】
2019028069.tif 000011
【図１０】
2019028069.tif 000012
【図１１】
2019028069.tif 000013
【図１２】
2019028069.tif 000014
【図１３】
2019028069.tif 000015
【図１４】
2019028069.tif 000016
【図１５】
2019028069.tif 000017
【図１６】
2019028069.tif 000018
【図１７】
2019028069.tif 000019
【図１８】
2019028069.tif 000020
【図１９】
2019028069.tif 000021
【図２０】
2019028069.tif 000022
【図２１】
2019028069.tif 000023
【図２２】
2019028069.tif 000024
【図２３】
2019028069.tif 000025
【図２４】
2019028069.tif 000026
【図２５】
2019028069.tif 000027
【図２６】
2019028069.tif 000028
【図２７】
2019028069.tif 000029
【図２８】
2019028069.tif 000030
【図２９】
2019028069.tif 000031
【図３０】
2019028069.tif 000032
【図３１】
2019028069.tif 000033
【図３２】
2019028069.tif 000034